【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】  用紙を折り処理する処理部を設けてなる後処理装置を備えた画像形成装置において、用紙の折り面を選択する選択手段と、画像形成された用紙を反転せしめる反転部と、を備え、前記選択手段により、裏面を折り込む三つ折り処理が選択された場合、制御手段は、前記反転部により前記用紙を反転せしめて折り処理部へ搬送することを特徴とする画像形成装置。
【請求項２】  原稿に基づく画像を用紙上に形成する画像形成手段を備え、前記選択手段により、表面を折り込む折り処理が選択された場合、前記制御手段は、前記原稿の最終ページに基づく画像から用紙上に形成するように前記画像形成手段を制御することを特徴とする請求項１に記載の画像形成装置。
【請求項３】  前記折り処理部にて三つ折り処理する用紙の枚数が所定の枚数を超える場合は、前記制御手段は折り処理を中止するように制御することを特徴とする請求項１又は請求項２に記載の画像形成装置。
【請求項４】  原稿に基づく画像を用紙上に形成する画像形成手段と、前記用紙を折り処理する折り処理部とを設けてなる後処理装置を備えた画像形成装置において、用紙の折り面を選択する選択手段と、前記選択手段により、表面を折り込む折り処理が選択された場合、前記原稿の最終ページに基づく画像から用紙上に形成するように前記画像形成手段を制御する制御手段と、を備えたことを特徴とする画像形成装置。
【請求項５】  前記折り処理部は、三つ折り処理又は二つ折り処理を行うことを特徴とする請求項４に記載の画像形成装置。
【請求項６】  前記折り処理部にて三つ折り処理又は二つ折り処理する用紙の枚数が所定の枚数を超える場合は、前記制御手段は折り処理を中止するように制御することを特徴とする請求項５に記載の画像形成装置。
【請求項７】  前記選択手段により、裏面を折り込む処理が選択された場合、前記制御手段は、前記反転部により前記用紙を反転せしめて折り処理部へ搬送することを特徴とする請求項４乃至請求項６の何れか１項に記載の画像形成装置。
【請求項８】  前記選択手段により、表面を折り込む処理が選択された場合、前記制御手段は、前記反転部により前記用紙を反転せずに折り処理部へ搬送することを特徴とする請求項１乃至請求項７の何れか１項に記載の画像形成装置。
【請求項９】  前記原稿を読み取る画像読取手段を備え、前記選択手段により、表面を折り込む処理が選択された場合、前記制御手段は、画像読取手段で全ての原稿の読取が完了した後、画像形成を開始することを特徴とする請求項８に記載の画像形成装置。
【請求項１０】  前記選択手段は、用紙の折り面を選択する選択画面を表示する操作表示部を有することを特徴とする請求項１乃至請求項９の何れか１項に記載の画像形成装置。
【請求項１１】  画像が形成される用紙の面と折り込む面とを対応付けした情報に基づき、後処理装置での用紙の搬送路を切り替える制御手段を有することを特徴とする請求項１乃至請求項１０の何れか１項に記載の画像形成装置。
【請求項１２】  前記後処理装置を制御する制御手段は、画像が形成される用紙の面と折り込む面とを対応付けした情報に基づき、折り手段を切り替えることを特徴とする請求項１１に記載の画像形成装置。
【請求項１３】  画像が形成される用紙の面と折り込む面とを対応付けした情報に基づき、折り手段による用紙の折り方向を切り替えることを特徴とする請求項１１又は請求項１２に記載の画像形成装置。
【請求項１４】  画像形成部と、用紙を反転搬送する反転部と、用紙を折り処理する折り処理部とを設けてなる画像形成装置に、用紙の折り面を選択する選択機能と、裏面を折り込む三つ折り処理が選択された場合、前記反転部により前記用紙を反転せしめて折り処理部へ搬送するように制御する機能と、を実現させることを特徴とするプログラム。
【請求項１５】  原稿に基づく画像を用紙上に形成する画像形成手段と、前記用紙を折り処理する折り処理部を設けてなる後処理装置を備えた画像形成装置に、  用紙の折り面を選択する選択機能と、  表面を折り込む折り処理が選択された場合、前記原稿の最終ページに基づく画像から用紙上に形成するように前記画像形成手段を制御する機能と、を実現させることを特徴とするプログラム。
【手続補正２】
【補正対象書類名】明細書
【補正対象項目名】０００９
【補正方法】変更
【補正の内容】
【０００９】
【発明が解決しようとする課題】
本発明は、上記の問題に鑑みてなされたもので、その目的は、後処理装置に搬送されてくる用紙に対して、用紙の面と該用紙を折り込む面とを対応付けして、何れの面からも折り処理を可能とする画像形成装置及びプログラムを提供することにある。
【手続補正３】
【補正対象書類名】明細書
【補正対象項目名】００１１
【補正方法】変更
【補正の内容】
【００１１】
（１）用紙を折り処理する処理部を設けてなる後処理装置を備えた画像形成装置において、用紙の折り面を選択する選択手段と、画像形成された用紙を反転せしめる反転部と、を備え、前記選択手段により、裏面を折り込む三つ折り処理が選択された場合、制御手段は、前記反転部により前記用紙を反転せしめて折り処理部へ搬送することを特徴とする画像形成装置。
【手続補正４】
【補正対象書類名】明細書
【補正対象項目名】００１２
【補正方法】変更
【補正の内容】
【００１２】
（２）原稿に基づく画像を用紙上に形成する画像形成手段を備え、前記選択手段により、表面を折り込む折り処理が選択された場合、前記制御手段は、前記原稿の最終ページに基づく画像から用紙上に形成するように前記画像形成手段を制御することを特徴とする（１）に記載の画像形成装置。
【手続補正５】
【補正対象書類名】明細書
【補正対象項目名】００１３
【補正方法】変更
【補正の内容】
【００１３】
（３）前記折り処理部にて三つ折り処理する用紙の枚数が所定の枚数を超える場合は、前記制御手段は折り処理を中止するように制御することを特徴とする（１）又は（２）に記載の画像形成装置。
【手続補正６】
【補正対象書類名】明細書
【補正対象項目名】００１４
【補正方法】変更
【補正の内容】
【００１４】
（４）原稿に基づく画像を用紙上に形成する画像形成手段と、前記用紙を折り処理する折り処理部とを設けてなる後処理装置を備えた画像形成装置において、用紙の折り面を選択する選択手段と、前記選択手段により、表面を折り込む折り処理が選択された場合、前記原稿の最終ページに基づく画像から用紙上に形成するように前記画像形成手段を制御する制御手段と、を備えたことを特徴とする画像形成装置。
【手続補正７】
【補正対象書類名】明細書
【補正対象項目名】００１５
【補正方法】変更
【補正の内容】
【００１５】
（５）前記折り処理部は、三つ折り処理又は二つ折り処理を行うことを特徴とする（４）に記載の画像形成装置。
【手続補正８】
【補正対象書類名】明細書
【補正対象項目名】００１６
【補正方法】変更
【補正の内容】
【００１６】
（６）前記折り処理部にて三つ折り処理又は二つ折り処理する用紙の枚数が所定の枚数を超える場合は、前記制御手段は折り処理を中止するように制御することを特徴とする（５）に記載の画像形成装置。
【手続補正９】
【補正対象書類名】明細書
【補正対象項目名】００１７
【補正方法】変更
【補正の内容】
【００１７】
（７）前記選択手段により、裏面を折り込む処理が選択された場合、前記制御手段は、前記反転部により前記用紙を反転せしめて折り処理部へ搬送することを特徴とする（４）乃至（６）の何れか１項に記載の画像形成装置。
【手続補正１０】
【補正対象書類名】明細書
【補正対象項目名】００１８
【補正方法】変更
【補正の内容】
【００１８】
（８）前記選択手段により、表面を折り込む処理が選択された場合、前記制御手段は、前記反転部により前記用紙を反転せずに折り処理部へ搬送することを特徴とする（１）乃至（７）の何れか１項に記載の画像形成装置。
【手続補正１１】
【補正対象書類名】明細書
【補正対象項目名】００１９
【補正方法】変更
【補正の内容】
【００１９】
（９）前記原稿を読み取る画像読取手段を備え、前記選択手段により、表面を折り込む処理が選択された場合、前記制御手段は、画像読取手段で全ての原稿の読取が完了した後、画像形成を開始することを特徴とする（８）に記載の画像形成装置。
【手続補正１２】
【補正対象書類名】明細書
【補正対象項目名】００２０
【補正方法】変更
【補正の内容】
【００２０】
（１０）前記選択手段は、用紙の折り面を選択する選択画面を表示する操作表示部を有することを特徴とする（１）乃至（９）の何れか１項に記載の画像形成装置。
【手続補正１３】
【補正対象書類名】明細書
【補正対象項目名】００２１
【補正方法】変更
【補正の内容】
【００２１】
（１１）画像が形成される用紙の面と折り込む面とを対応付けした情報に基づき、後処理装置での用紙の搬送路を切り替える制御手段を有することを特徴とする（１）乃至（１０）の何れか１項に記載の画像形成装置。
【手続補正１４】
【補正対象書類名】明細書
【補正対象項目名】００２２
【補正方法】変更
【補正の内容】
【００２２】
（１２）前記後処理装置を制御する制御手段は、画像が形成される用紙の面と折り込む面とを対応付けした情報に基づき、折り手段を切り替えることを特徴とする（１１）に記載の画像形成装置。
【手続補正１５】
【補正対象書類名】明細書
【補正対象項目名】００２３
【補正方法】変更
【補正の内容】
【００２３】
（１３）画像が形成される用紙の面と折り込む面とを対応付けした情報に基づき、折り手段による用紙の折り方向を切り替えることを特徴とする（１１）又は（１２）に記載の画像形成装置。
【手続補正１６】
【補正対象書類名】明細書
【補正対象項目名】００２４
【補正方法】変更
【補正の内容】
【００２４】
（１４）画像形成部と、用紙を反転搬送する反転部と、用紙を折り処理する折り処理部とを設けてなる画像形成装置に、用紙の折り面を選択する選択機能と、裏面を折り込む三つ折り処理が選択された場合、前記反転部により前記用紙を反転せしめて折り処理部へ搬送するように制御する機能と、を実現させることを特徴とするプログラム。
【手続補正１７】
【補正対象書類名】明細書
【補正対象項目名】００２５
【補正方法】変更
【補正の内容】
【００２５】
（１５）原稿に基づく画像を用紙上に形成する画像形成手段と、前記用紙を折り処理する折り処理部を設けてなる後処理装置を備えた画像形成装置に、  用紙の折り面を選択する選択機能と、  表面を折り込む折り処理が選択された場合、前記原稿の最終ページに基づく画像から用紙上に形成するように前記画像形成手段を制御する機能と、を実現させることを特徴とするプログラム。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】０１８８
【補正方法】変更
【補正の内容】
【０１８８】
【発明の効果】
以上の構成により、選択された用紙の折り面に応じ用紙の表面若しくは裏面の何れの面からでも折り処理を可能とする画像形成装置及びプログラムを提供できる。